(57)【要約】  【課題】  画像、音響などの情報を同期させて再生するメディア再生装置において、映像や音響のデータの復号化や情報出力のタイミングを管理する際に、入力されたデータストリームから時間情報を分離して保存しておくために必要なメモリ容量を削減すること。  【解決手段】  時間情報単位変換手段１３０は、時間情報データを所定の単位である時間情報単位変換データに変換する。時間情報分割手段１４０は入力された時間情報単位変換データを、上位ビット時間情報データと下位ビット時間情報データとに分割し、上位ビット時間情報データメモリ１５１と、下位ビット時間情報データメモリ１５２とに保存する。上位ビット時間情報データが一つ前に格納した上位ビット時間情報データと異なる場合にのみ、上位ビット時間情報データを上位ビット時間情報データメモリに格納する。【選択図】  図１
2005311697.tif 000002
【特許請求の範囲】
【請求項１】
情報データと該情報データを出力するタイミングを示す時間情報データを含んだ総合情報データを入力とし、前記時間情報データに基づくタイミングで前記情報データに所定の処理をして情報処理データとして出力するメディア再生装置であって、
前記総合情報データを前記情報データと前記時間情報データとに分離して出力する総合情報分離手段と、
前記情報データを入力し、所定の処理を施して前記情報処理済データを出力する情報処理手段と、
前記時間情報データを入力とし、前記時間情報データの単位を所定の単位に変換し、時間情報単位変換データを出力する時間情報単位変換手段と、
前記時間情報単位変換データを所定の方法でＮ個（Ｎは２以上の自然数）のビット時間情報データに分割する時間情報分割手段と、
前記時間情報分割手段により分割されたビット時間情報データを時間情報管理テーブルに保存する時間情報保存手段と、
前記時間情報保存手段を構成する時間情報管理テーブルに保存された前記ビット時間情報データを読み出して所定の処理を施し、分割されたビット時間情報データを結合した復元時間情報データとして出力する時間情報復元手段と、
前記情報処理済データを、その出力タイミングを前記復元時間情報データに基づくタイミングに調整して出力する情報出力手段と、
を備えたことを特徴とするメディア再生装置。
【請求項２】
請求項１記載のメディア再生装置において、
前記時間情報単位変換手段は、前記時間情報データの単位を他の規格の単位に統一するように変換する、
ことを特徴とするメディア再生装置。
【請求項３】
請求項１記載のメディア再生装置において、
前記時間情報分割手段は、所定の方法で前記時間情報データを二つに分割した上位ビット時間情報データと下位ビット時間情報データとを出力すると共に、前記下位ビット時間情報データと前記上位ビット時間情報データとの対応を示す識別情報を出力し、
前記時間情報保存手段を構成する前記時間情報管理テーブルに、前記上位ビット時間情報データを保存する上位ビット時間情報データメモリと、前記下位ビット時間情報データを保存する下位ビット時間情報データメモリと、前記識別情報を保存する識別情報メモリとを有し、
前記時間情報復元手段は、前記時間管理テーブルより読み出した前記上位ビット時間情報データと、前記下位ビット時間情報データを、前記識別情報に基づき結合して前記復元時間情報データとして出力する、
ことを特徴とするメディア再生装置。
【請求項４】
請求項３記載のメディア再生装置において、
前記時間情報分割手段は、前記上位ビット時間情報データが時間的に一つ前に格納した上位ビット時間情報データと異なる場合に、該上位ビット時間情報データを前記上位ビット時間情報データメモリに格納し、この格納した上位ビット時間情報データと、これに対応する下位ビット時間情報データメモリとの対応を示す識別情報を前記識別情報メモリに格納する、
ことを特徴とするメディア再生装置。
【請求項５】
請求項４記載のメディア再生装置において、
前記時間情報分割手段は、前記下位ビット時間情報データを前記下位ビット時間情報データメモリに保存し、前記下位ビット時間情報データメモリの下位ビットに相当する位置に前記識別情報を上書きして保存し、
前記時間情報復元手段は、前記時間管理テーブルより読み出した前記下位ビット時間情報データに対応する上位ビット時間情報データを、前記識別情報を基にして読み出し、前記下位ビット時間情報データと上位ビット時間情報データとを結合して前記復元時間情報データとして出力する、
ことを特徴とするメディア再生装置。
【発明の詳細な説明】
【技術分野】
【０００１】
本発明は、符号化された映像、音響などの情報を復号化して再生するメディア再生装置に関し、特に時間管理情報のために必要なメモリ容量の削減、並びに装置の演算量の低減を図ったものに関するものである。
【背景技術】
【０００２】
従来の代表的な動画符号化方式のＭＰＥＧ（Moving Picture Experts Group）技術は、映像、音響の情報をともに含むデータを復号化して出力する際に、両者を同期させる必要があるため、ＭＰＥＧでは映像や音響のデータに時間情報を付与できるように規定している。これらの時間情報に従って映像や音響のデータの復号化や情報出力タイミングを管理する復号化システムが実用化されている。
【０００３】
上記従来の時間情報の管理方法としては、復号化システム内に保存した映像及び音響データに付与された時間情報を復号化システム内の管理テーブルに保存しておき、メディア再生装置においては、復号化開始時や情報出力時に保存した時間情報を読み出している。また、個別時間情報データ間の差分と一定の値との差を時間情報データとして保存し管理するため、必要な管理テーブルのメモリ量を小さくしているものもある（例えば、特許文献１参照)。
【特許文献１】特開２０００−２５２８３４号公報
【発明の開示】
【発明が解決しようとする課題】
【０００４】
従来のメディア再生装置は以上のように構成されており、映像や音響のデータの復号化や情報出力のタイミングを管理する際には、入力されたデータストリームから時間情報を分離して保存しておくことが必要となり、映像や音響のデータの時間情報を保存するためには多くのメモリ容量を必要とすることから、時間情報データ間の差分と一定の値との差を時間情報データとして保存して解決する構成となっている。しかしながら、このような構成の場合では、加算・減算の計算が必要となり装置としての演算量が増加する。さらに、計算結果がマイナスになる場合があるため、符号ビットの考慮が必要なため処理量が増加するという問題点がある。
【０００５】
本発明は以上のような問題点を解消するためになされたもので、時間情報管理のために必要なメモリ容量を小さくし、時間情報の計算を削減して装置としての演算処理量を低減することのできるメディア再生装置を提供することを目的とする。
【課題を解決するための手段】
【０００６】
本発明の請求項１にかかるメディア再生装置は、情報データと該情報データを出力するタイミングを示す時間情報データを含んだ総合情報データを入力とし、前記時間情報データに基づくタイミングで前記情報データに所定の処理をして情報処理データとして出力するメディア再生装置であって、前記総合情報データを前記情報データと前記時間情報データとに分離して出力する総合情報分離手段と、前記情報データを入力し、所定の処理を施して前記情報処理済データを出力する情報処理手段と、前記時間情報データを入力とし、前記時間情報データの単位を所定の単位に変換し、時間情報単位変換データを出力する時間情報単位変換手段と、前記時間情報単位変換データを所定の方法でＮ個（Ｎは２以上の自然数）のビット時間情報データに分割する時間情報分割手段と、前記時間情報分割手段により分割されたビット時間情報データを時間情報管理テーブルに保存する時間情報保存手段と、前記時間情報保存手段を構成する時間情報管理テーブルに保存された前記ビット時間情報データを読み出して所定の処理を施し、分割されたビット時間情報データを結合した復元時間情報データとして出力する時間情報復元手段と、前記情報処理済データを、その出力タイミングを前記復元時間情報データに基づくタイミングに調整して出力する情報出力手段と、を備えたことを特徴とするものである。
【０００７】
本発明の請求項２にかかるメディア再生装置は、請求項１記載のメディア再生装置において、前記時間情報単位変換手段は、前記時間情報データの単位を他の規格単位に統一するように変換する、ことを特徴とするものである。
【０００８】
本発明の請求項３にかかるメディア再生装置は、請求項１記載のメディア再生装置において、前記時間情報分割手段は、所定の方法で前記時間情報データを二つに分割した上位ビット時間情報データと下位ビット時間情報データとを出力すると共に、前記下位ビット時間情報データと前記上位ビット時間情報データとの対応を示す識別情報を出力し、前記時間情報保存手段を構成する前記時間情報管理テーブルに、前記上位ビット時間情報データを保存する上位ビット時間情報データメモリと、前記下位ビット時間情報データを保存する下位ビット時間情報データメモリと、前記識別情報を保存する識別情報メモリとを有し、前記時間情報復元手段は、前記時間管理テーブルより読み出した前記上位ビット時間情報データと、前記下位ビット時間情報データを、前記識別情報に基づき結合して前記復元時間情報データとして出力する、ことを特徴とするものである。
【０００９】
本発明の請求項４にかかるメディア再生装置は、請求項３記載のメディア再生装置において、前記時間情報分割手段は、前記上位ビット時間情報データが時間的に一つ前に格納した上位ビット時間情報データと異なる場合に、該上位ビット時間情報データを前記上位ビット時間情報データメモリに格納し、この格納した上位ビット時間情報データと、これに対応する下位ビット時間情報データメモリとの対応を示す識別情報を前記識別情報メモリに格納する、ことを特徴とするものである。
【００１０】
本発明の請求項５にかかるメディア再生装置は、請求項４記載のメディア再生装置において、前記時間情報分割手段は、前記下位ビット時間情報データを前記下位ビット時間情報データメモリに保存し、前記下位ビット時間情報データメモリの下位ビットに相当する位置に前記識別情報を上書きして保存し、前記時間情報復元手段は、前記時間管理テーブルより読み出した前記下位ビット時間情報データに対応する上位ビット時間情報データを、前記識別情報を基にして読み出し、前記下位ビット時間情報データと上位ビット時間情報データとを結合して前記復元時間情報データとして出力する、ことを特徴とするものである。
【発明の効果】
【００１１】
以上のように、本発明の請求項１にかかるメディア再生装置によれば、情報データと該情報データを出力するタイミングを示す時間情報データを含んだ総合情報データを入力とし、前記時間情報データに基づくタイミングで前記情報データに所定の処理をして情報処理データとして出力するメディア再生装置であって、前記総合情報データを前記情報データと前記時間情報データとに分離して出力する総合情報分離手段と、前記情報データを入力し、所定の処理を施して前記情報処理済データを出力する情報処理手段と、前記時間情報データを入力とし、前記時間情報データの単位を所定の単位に変換し、時間情報単位変換データを出力する時間情報単位変換手段と、前記時間情報単位変換データを所定の方法でＮ個(Nは2以上の自然数)のビット時間情報データに分割する時間情報分割手段と、前記時間情報分割手段により分割されたビット時間情報データを時間情報管理テーブルに保存する時間情報保存手段と、前記時間情報保存手段を構成する時間情報管理テーブルに保存された前記ビット時間情報データを読み出して所定の処理を施し、分割されたビット時間情報データを結合した復元時間情報データとして出力する時間情報復元手段と、前記情報処理済データを、その出力タイミングを前記復元時間情報データに基づくタイミングに調整して出力する情報出力手段と、を備えたものとしたので、映像、音響などの情報に付与された時間情報データをＮ個数に分割し、更新頻度の高いものと更新頻度の低いものを分けて記憶し、必要に応じて復元して使用することで、時間情報データの保存に使用するメモリ量の増加を抑えることができ、また、時間情報データ間の差分と一定の値との差を時間情報データとして保存する従来の方式に比べて、加算・減算・符号ビットの考慮が必要なくなることから演算処理時間を低減することができる効果が得られる。
【００１２】
また、本発明の請求項２にかかるメディア再生装置によれば、請求項１記載のメディア再生装置において、前記時間情報単位変換手段は、前記時間情報データの単位を他の規格の単位に統一するように変換するものとしたので、フォーマットの異なるストリームを入力データとした場合にも、時間情報データに互換性を持たせ、処理を行なうことができるという効果がある。
【００１３】
また、本発明の請求項３にかかるメディア再生装置によれば、請求項１記載のメディア再生装置において、前記時間情報分割手段は、所定の方法で前記時間情報データを二つに分割した上位ビット時間情報データと下位ビット時間情報データとを出力すると共に、前記下位ビット時間情報データと前記上位ビット時間情報データとの対応を示す識別情報を出力し、前記時間情報保存手段を構成する前記時間情報管理テーブルに、前記上位ビット時間情報データを保存する上位ビット時間情報データメモリと、前記下位ビット時間情報データを保存する下位ビット時間情報データメモリと、前記識別情報を保存する識別情報メモリとを有し、前記時間情報復元手段は、前記時間管理テーブルより読み出した前記上位ビット時間情報データと、前記下位ビット時間情報データを、前記識別情報に基づき結合して前記復元時間情報データとして出力するようにしたので、データ更新頻度の低い上位ビット時間情報データメモリの容量を小さいものとすることができ、時間情報データの保存に使用するメモリ量の増加を抑えることができるという効果が得られる。
【００１４】
また、本発明の請求項４にかかるメディア再生装置によれば、請求項３記載のメディア再生装置において、前記時間情報分割手段は、前記上位ビット時間情報データが時間的に一つ前に格納した上位ビット時間情報データと異なる場合に、該上位ビット時間情報データを前記上位ビット時間情報データメモリに格納し、この格納した上位ビット時間情報データと、これに対応する下位ビット時間情報データメモリとの対応を示す識別情報を前記識別情報メモリに格納するようにしたので、少ないメモリ容量でも時間情報データ復元時に識別情報を用いて正しい時間情報データを復元することができる効果が得られる。
【００１５】
また、本発明の請求項５にかかるメディア再生装置によれば、請求項４記載のメディア再生装置において、前記時間情報分割手段は、前記下位ビット時間情報データを前記下位ビット時間情報データメモリに保存し、前記下位ビット時間情報データメモリの下位ビットに相当する位置に前記識別情報を上書きして保存し、前記時間情報復元手段は、前記時間管理テーブルより読み出した前記下位ビット時間情報データに対応する上位ビット時間情報データを、前記識別情報を基にして読み出し、前記下位ビット時間情報データと上位ビット時間情報データとを結合して前記復元時間情報データとして出力するようにしたので、識別情報が時間情報変換データの精度に影響を与えにくい下位ビット時間情報データの下位ビットに書き込まれているため、時間情報データの誤差を最小限に抑えることができる効果が得られる。
【発明を実施するための最良の形態】
【００１６】
以下、本発明の各実施の形態に係るメディア再生装置について、図面を参照しながら説明する。
（実施の形態１）
【００１７】
図１は本発明の実施の形態１に係るメディア再生装置の構成を示すブロック図である。図１のメディア再生装置は、総合情報データを入力とする総合情報分離手段１１０と、総合情報分離手段１１０の出力する情報データを処理する情報処理手段１２０と、総合情報分離手段１１０の出力する時間情報データを処理する時間情報単位変換手段１３０と、時間情報単位変換手段１３０の出力する時間情報単位変換データを分割する時間情報分割手段１４０と、時間情報分割手段１４０の出力する時間情報を保存管理する時間情報管理テーブル１５０と、時間情報管理テーブル１５０を参照して時間情報を復元する時間情報復元手段１６０と、さらに、情報処理手段１２０の出力する情報処理済データと時間情報復元手段１６０の出力する復元時間情報データとを基にして情報処理データを出力する情報出力手段１７０とを備えている。
【００１８】
上記時間情報管理テーブル１５０は上位ビット時間情報データメモリ１５１と、下位ビット時間情報データメモリ１５２と、識別情報メモリ１５３とで構成されている。なお、時間情報データメモリとしては上位ビット時間情報データメモリ１５１と下位ビット時間情報データメモリ１５２の二つの構成を備えるものとしたが、これらメモリは必ずしも二つに限定するものではなく２以上の任意の個数であってもよい。
【００１９】
以下に例として、本発明のメディア再生装置を、ＡＳＦ（Advanced Streaming Format）再生装置に適用する場合について考える。この場合、ＡＳＦストリームを総合情報データとし、再生タイミング時刻を規定するＰＴＳ（Presentation Time Stamp）を時間情報データとして保存することになる。また、情報データは映像データであるＭＰＥＧ４と音響データであるｇ．７２６で構成されているものとする。更に、ＡＳＦ再生装置の情報出力手段１７０はＭＰＥＧ２再生装置で使用していたものと同じ規格の構成となる。
【００２０】
以下、ＡＳＦ再生について説明する。
総合情報データＡＳＦは、総合情報分離手段１１０に入力され、ここで、情報データであるＭＰＥＧ４とｇ．７２６と、時間情報データであるＰＴＳとに分離される。これらのデータはそれぞれ後段の情報処理手段１２０と時間情報単位変換手段１３０とに入力される。
【００２１】
情報処理手段１２０では、入力された情報データである映像データＭＰＥＧ４と音響データｇ．７２６の復号化の処理を行い、復号化した画像データと音声データとを後段の情報出力手段１７０に出力する。
【００２２】
入力するＡＳＦの時間情報データであるＰＴＳは、１ｋＨｚ単位とし、ＭＰＥＧ２再生装置で使用していたＰＴＳは４５ｋＨｚ単位であったとする。時間情報単位変換手段１３０は、入力された時間情報データであるＰＴＳを、ＭＰＥＧ２再生装置で使用していた４５ｋＨｚ単位に変換を行い、その結果を後段の時間情報分割手段１４０に出力する。このようにＡＳＦの時間情報データであるＰＴＳをＭＰＥＧ２で使用していた単位に変換することで、ＭＰＥＧ２再生装置との互換性を持たせることができる。そのため後段の情報出力手段１７０としてＭＰＥＧ２再生装置を用いることができる。
【００２３】
以上のようにして変換された時間情報変換データは、後段の時間情報分割手段１４０により所定のデータ長を有するＮ個のデータに分割され（ここではＮ＝２）、後段の時間情報管理テーブル１５０に格納されるが、この時、格納する時間情報変換データの全データ長は３８ビットであるものとする。また、後段の時間情報管理テーブル１５０における下位ビット時間情報データメモリ１５２が３２ビットの容量とし、上位ビット時間情報データメモリ１５１が６ビットの容量とし、識別情報メモリ１５３が1ビットの容量とする。
【００２４】
時間情報分割手段１４０は、下位ビット時間情報データメモリ１５２に時間情報変換データを下位ビットから３２ビット分格納し、格納できなかった上位６ビットの時間情報変換データは、一つ前に格納した上位ビット時間情報データと値が異なる場合にのみ、上位ビット時間情報データメモリ１５１にこれを格納する。また、時間情報分割手段１４０は、下位ビット時間情報データに対応する上位ビット時間情報データを判別するための１ビットの識別情報を、識別情報メモリ１５３に出力する。
【００２５】
このように、上位ビット時間情報データメモリ１５１は上位ビット時間情報データが更新される時のみ変更されるので、下位ビット時間情報データメモリ１５２に比べ、データを更新する頻度は少ないものとなる。そのため、従来に比べて識別情報メモリ１５３が別途必要であるとしても、上位ビット時間情報データメモリ１５１は下位ビット時間情報データメモリ１５２の容量より少ない容量で構成することで、時間情報管理テーブル１５０に必要な全体のメモリ容量は、時間情報データをそのまま保存するのに必要な容量よりも少なくすることができる。
【００２６】
時間情報復元手段１６０は、時間情報管理テーブル１５０を構成する識別情報メモリ１５３に保存された識別情報を基にして、下位ビット時間情報データに対応する上位ビット時間情報データを読み出し、読み出した下位ビット時間情報データと上位ビット時間情報データとを結合して復元時間情報データとして後段の情報出力手段１７０に出力する。
【００２７】
情報出力手段１７０では、時間情報復元手段１６０が出力した復元時間情報データに基づいて、情報処理手段１２０が出力した情報処理済データを、その出力タイミングを制御しながら出力することで、復号化した画像データと音声データとを出力する。
【００２８】
このように本実施の形態１によれば、時間情報分割手段１４０によって時間情報データを更新頻度の少ない上位ビットと更新頻度の高い下位ビットの２つに分割して、上位ビット時間情報データメモリ１５１と下位ビット時間情報データメモリ１５２にそれぞれ記憶させ、さらに上位ビットと下位ビットの時間情報データの対応を示す識別情報を識別情報メモリ１５３に記憶させるようにしたので、時間情報管理のために必要なメモリの容量を小さいものとできる。また、これにより、個別時間情報データ間の差分と一定の値との差を時間情報データとして保存し管理する構成を有する従来のメディア再生装置に比べて、加算・減算・符号ビットの考慮が必要なくなることから時間情報の演算処理を削減することができる。
【００２９】
（実施の形態２）
次に本発明の実施の形態２にかかるメディア再生装置について、図１及び図２を用いて説明する。図２は図１における時間情報分割手段１４０と、時間情報管理テーブル１５０と、時間情報復元手段１６０に代えて、時間情報分割手段２４０と、時間情報管理テーブル２５０と、時間情報復元手段２６０を用いて構成されたメディア再生装置の要部を示す構成図であり、時間情報管理テーブル２５０は、上位時間情報データメモリ２５１と、下位ビットに識別情報を含んだ下位ビット時間情報データメモリ２５２とから構成されている。
【００３０】
次に本実施の形態２に係るメディア再生装置であるＡＳＦ再生装置の動作について説明する。ＡＳＦ入力から時間情報単位変換手段１３０間での処理は、実施の形態１と同一なのでここではその処理の説明については省略する。
【００３１】
ここで、格納する時間情報変換データのデータ長は３８ビットで、下位ビット時間情報データメモリ２５２が３２ビットの容量とし、上位ビット時間情報データメモリ２５１が６ビットの容量であるものとする。時間情報分割手段２４０は、下位ビット時間情報データメモリ２５２に時間情報変換データを下位ビットから３２ビット格納し、格納できなかった６ビットの時間情報変換データは、一つ前に格納した上位ビット時間情報データと異なる場合にのみ、上位ビット時間情報データメモリ２５１に格納する。さらに、下位ビット時間情報データに対応する上位ビット時間情報データを判別する識別情報を、下位ビット時間情報データの下位ビット、例えば最下位のビットに上書きする。
【００３２】
最下位のビットにデータを上書きすることで、下位ビット時間情報データの一部が変更されることになるが、最後の1ビットが変更されたことによるＰＴＳへの影響は極めて小さいものであり、ＭＰＥＧ２再生装置で使用していたＰＴＳは４５ｋＨｚ単位である場合、一般的なＴＶでは１秒間に３０フレーム描画であるため、１フレームあたりにはＰＴＳは１５００カウント程度となり、１５００±１の変化による影響は１フレームあたりＰＴＳのカウントとして１／１５００程度のものであり、実用上全く問題のない範囲である。
【００３３】
このように下位ビット時間情報データに識別情報を上書きすることで、実施の形態１で示したように、時間情報データ以外の識別情報を記憶するための独立したメモリを別途必要としないものとすることができる。さらに、識別情報を時間情報変換データの精度に影響を与えにくい下位ビット時間情報データの下位ビットに書き込むことで、時間情報データの誤差を最小限に抑えることができる。また、上位ビット時間情報データは、一つ前に格納した上位ビット時間情報データと異なる場合にのみ、上位ビット時間情報データを上位ビット時間情報データメモリ２５１に格納することで、上位ビット時間情報データメモリは下位ビット時間情報データメモリ２５２に比べ、データを更新する頻度が少なくなる。そのため、上位ビット時間情報データメモリ２５１は、下位ビット時間情報データメモリ２５２の容量よりも少ない容量で構成することができる。
【００３４】
そして、時間情報復元手段２６０は、時間情報管理テーブル２５０が出力した下位ビット時間情報データの識別情報を基に、下位ビット時間情報データに対応する上位ビット時間情報データを読み出し、読み出した下位ビット時間情報データと上位ビット時間情報データとを結合し、復元時間情報データとして情報出力手段１７０に出力する。他の処理は実施の形態１と同一なので、ここでは省略する。
【００３５】
以下に例として、本実施の形態２に係わるＡＳＦ再生装置と、従来のＭＰＥＧ２再生装置との間でＰＴＳの保存のために必要なメモリ容量を比較する。
【００３６】
ＡＳＦのＰＴＳは１ｋＨｚでカウントされる値であり、３２ビットのデータ長を持っており、ＭＰＥＧ２のＰＴＳは４５ｋＨｚでカウントされる値で、３２ビットのデータ長を持っている。ＰＴＳは情報データの符号化の単位ごとに付与されているが、ここでは、ＰＴＳが情報データに対して１／３０秒ごとに付与されているものとする。
【００３７】
情報出力手段１７０を変更せずに使用するためには、ＡＳＦのＰＴＳを４５ＫＨｚとして扱わなくてはならないため、
（２＾３２−１）×４５＝１９３２７３５２８２７５
より、ＡＳＦのＰＴＳには３８ビットのデータ長が必要となる。
【００３８】
従来のように、ＡＳＦのＰＴＳをそのまま３８ビットのデータとして保存すると必要なメモリ容量は1秒間あたり、
３８ × ３０ ＝ １１４０
より、１１４０ビットである。一方、本実施の形態２では上位ビット時間情報データメモリ容量を６ビット幅で２個分とし、下位ビット時間情報データメモリ容量が３２ビット幅で３０個分とすると、必要なメモリ容量は1秒間あたり、
（６×２） ＋ (３２× ３０) ＝ ９７２
より、９７２ビットである。
【００３９】
このように本実施の形態２では、時間情報分割手段２４０により時間情報データを更新頻度の少ない上位ビットと更新頻度の高い下位ビットの２つに分割して、上位ビット時間情報データメモリ２５１と、下位ビット時間情報データメモリ２５２にそれぞれ記憶させ、さらに上位ビットと下位ビットの時間情報データの対応を示す識別情報を下位ビット時間情報データメモリ２５２に記憶させるようにしたので、時間情報管理のために必要なメモリの容量を小さいものとできる。また、これにより、個別時間情報データ間の差分と一定の値との差を時間情報データとして保存し管理する従来の構成に比べて時間情報の演算処理を削減することができる。
【００４０】
また、識別情報を下位ビット時間情報データメモリ２５２に記憶させるようにしたので、時間情報管理テーブルを構成する上位ビット時間情報データメモリと、下位ビット時間情報データメモリを、３以上の個数に分割した場合の識別情報を記憶するメモリの容量を、図１に示した実施の形態１の構成に比べて小さいものとすることができ、また回路構成を簡略化することができる。
【００４１】
さらに、識別情報が時間情報変換データの精度に影響を与えにくい下位ビット時間情報データの下位ビットに書き込まれているため、時間情報データの誤差を最小限に抑えることができる。
【産業上の利用可能性】
【００４２】
本発明にかかるメディア再生装置では、映像、音響などの情報に付与された時間情報データを上位ビットと下位ビットに分割してメモリに保存することで、使用するメモリ量の増加を抑えることができ、装置の小型化、コストの低減、及び演算速度の向上に有用である。
【図面の簡単な説明】
【００４３】
【図１】本発明の実施の形態１に係るメディア再生装置の構成を示すブロック図である。
【図２】本発明の実施の形態２に係るメディア再生装置の要部の構成を示すブロック図である。
【符号の説明】
【００４４】
１１０  総合情報分離手段
１２０  情報処理手段
１３０  時間情報単位変換手段
１４０  時間情報分割手段
１５０  時間情報管理テーブル
１５１  上位ビット時間情報データメモリ
１５２  下位ビット時間情報データメモリ
１５３  識別情報メモリ
１６０  時間情報復元手段
１７０  情報出力手段
２４０  時間情報保存手段
２５０  時間情報管理テーブル
２５１  上位ビット時間情報データメモリ
２５２  下位ビット時間情報データメモリ
２６０  時間情報復元手段
【図１】
2005311697.tif 000003
【図２】
2005311697.tif 000004